(57)【要約】【課題】蓋体に重量物である撹拌ユニットおよびモータを設けていても、蓋体を開放した状態での姿勢が安定し、転倒することのない炊飯器を提供する。【解決手段】蓋体２００の重心は、蓋体２００の中心を通ると共に回転軸Ｌに平行な第１の鉛直平面Ｓ１よりも、回転軸Ｌ側に位置する。炊飯器本体１の重心は、炊飯器本体１の中心を通ると共に回転軸Ｌに平行な第２の鉛直平面Ｓ２よりも、回転軸Ｌとは反対側に位置する。【選択図】図５
2013165858.tif 000002
【特許請求の範囲】
【請求項１】
内鍋を収容可能な炊飯器本体と、
上記炊飯器本体の後端部の上部に回転軸を中心として揺動可能に後端部が取り付けられ、上記内鍋を開閉可能とする蓋体と
を備え、
上記蓋体は、
蓋本体と、
上記蓋本体に取り付けられると共に、上記内鍋内に収容される被加熱物を撹拌する撹拌ユニットと、
上記蓋本体に取り付けられると共に、上記撹拌ユニットを駆動するモータと
を有し、
上記蓋体の重心は、上記蓋体の中心を通ると共に上記回転軸に平行な第１の鉛直平面よりも、上記回転軸側に位置し、
上記炊飯器本体の重心は、上記炊飯器本体の中心を通ると共に上記回転軸に平行な第２の鉛直平面よりも、上記回転軸とは反対側に位置することを特徴とする炊飯器。
【請求項２】
請求項１に記載の炊飯器において、
上記撹拌ユニットと上記モータからなる重量物の重心は、上記第１の鉛直平面よりも、上記回転軸側に位置することを特徴とする炊飯器。
【請求項３】
請求項１または２に記載の炊飯器において、
上記モータは、上記第１の鉛直平面よりも、上記回転軸側に位置することを特徴とする炊飯器。
【請求項４】
請求項３に記載の炊飯器において、
上記モータは、上記回転軸の端部近傍、かつ、上記蓋本体の角部に、配置されていることを特徴とする炊飯器。
【請求項５】
請求項１から４の何れか一つに記載の炊飯器において、
上記炊飯器本体の底面は、上記回転軸よりも後方に延在していることを特徴とする炊飯器。
【請求項６】
請求項１から５の何れか一つに記載の炊飯器において、
上記炊飯器本体は、バランスウエイトを有することを特徴とする炊飯器。
【請求項７】
請求項１から６の何れか一つに記載の炊飯器において、
上記蓋体の最大開状態での上記炊飯器本体の上端面に対する角度は、９０°〜１００°であることを特徴とする炊飯器。
【請求項８】
請求項１から７の何れか一つに記載の炊飯器において、
上記モータは、上記蓋体を閉じた状態で、上下方向からみて、または、上記回転軸方向からみて、上記回転軸に重なる位置にあることを特徴とする炊飯器。
【発明の詳細な説明】
【技術分野】
【０００１】
この発明は、炊飯器に関する。
【背景技術】
【０００２】
従来、炊飯器としては、特開平１０−１０８７８６号公報（特許文献１）に開示されたものが、提案されている。この炊飯器は、炊飯器本体と、この炊飯器本体に収容された内鍋と、炊飯器本体の後部に取り付けられて内鍋を開閉する蓋体とを備えている。この蓋体には、内鍋内の炊飯物を撹拌する撹拌ユニットと、この撹拌ユニットを駆動するモータとを設けている。
【先行技術文献】
【特許文献】
【０００３】
【特許文献１】特開平１０−１０８７８６号公報
【発明の概要】
【発明が解決しようとする課題】
【０００４】
ところで、上記従来の炊飯器を実際に製造して使用しようとすると、次の問題があることを発見した。
【０００５】
炊飯器の蓋体において、一般に使用されているような、撹拌ユニットがなく、モータが設けられていないタイプでは、蓋体の重量が小さいため、蓋体を全開にしても、炊飯器が転倒したり、不安定になるという虞はない。
【０００６】
しかし、上記撹拌ユニットおよび上記モータが設けられた蓋体では、撹拌ユニットおよびモータが重量物であるため、内鍋を炊飯器本体から取り出した状態で蓋体を全開するとき、または、蓋体を全開にして内鍋を炊飯器本体から取り出すときに、炊飯器の姿勢が不安定になるという問題があることを発見した。
【０００７】
特に、炊飯器が布巾や鍋敷等の上に偶然に置かれて、炊飯器の姿勢が後方に傾いた状態となった場合には、蓋体を全開にして内鍋を出し入れするとき、炊飯器本体の姿勢が不安定になり、著しい場合には、炊飯器が後方へ転倒することがあることを発見した。
【０００８】
そこで、この発明の課題は、蓋体に重量物である撹拌ユニットおよびモータを設けていても、蓋体を開放した状態での姿勢が安定し、転倒することのない炊飯器を提供することにある。
【課題を解決するための手段】
【０００９】
上記課題を解決するため、この発明の炊飯器は、
内鍋を収容可能な炊飯器本体と、
上記炊飯器本体の後端部の上部に回転軸を中心として揺動可能に後端部が取り付けられ、上記内鍋を開閉可能とする蓋体と
を備え、
上記蓋体は、
蓋本体と、
上記蓋本体に取り付けられると共に、上記内鍋内に収容される被加熱物を撹拌する撹拌ユニットと、
上記蓋本体に取り付けられると共に、上記撹拌ユニットを駆動するモータと
を有し、
上記蓋体の重心は、上記蓋体の中心を通ると共に上記回転軸に平行な第１の鉛直平面よりも、上記回転軸側に位置し、
上記炊飯器本体の重心は、上記炊飯器本体の中心を通ると共に上記回転軸に平行な第２の鉛直平面よりも、上記回転軸とは反対側に位置することを特徴としている。
【００１０】
ここで、この明細書では、「第１の鉛直平面」とは、蓋体を閉じて炊飯器を水平面に置いた状態で、蓋体の中心を通ると共に回転軸に平行となり、かつ、水平面に直交する平面をいう。「第２の鉛直平面」とは、蓋体を閉じて炊飯器を水平面に置いた状態で、炊飯器本体の中心を通ると共に回転軸に平行となり、かつ、水平面に直交する平面をいう。
【００１１】
この発明の炊飯器によれば、上記蓋体の重心は、第１の鉛直平面よりも、回転軸側に位置し、上記炊飯器本体の重心は、第２の鉛直平面よりも、回転軸とは反対側に位置する。
【００１２】
これによって、蓋体に重量物である撹拌ユニットおよびモータを設けていても、内鍋を炊飯器本体から取り出した状態で蓋体を全開するとき、または、蓋体を全開にして内鍋を炊飯器本体から取り出すときに、炊飯器の姿勢が安定する。
【００１３】
特に、炊飯器が布巾や鍋敷等の上に偶然に置かれて、炊飯器の姿勢が後方に傾いた状態となった場合に、蓋体を全開にして内鍋を出し入れするとき、炊飯器の姿勢が安定して、炊飯器が後方へ転倒することがない。
【００１４】
また、一実施形態の炊飯器では、上記撹拌ユニットと上記モータからなる重量物の重心は、上記第１の鉛直平面よりも、上記回転軸側に位置する。
【００１５】
この実施形態の炊飯器によれば、上記撹拌ユニットと上記モータからなる重量物の重心は、上記第１の鉛直平面よりも、上記回転軸側に位置するので、蓋体の重心を回転軸側に簡単に位置できて、炊飯器の後方倒れを容易に防止できる。
【００１６】
また、一実施形態の炊飯器では、上記モータは、上記第１の鉛直平面よりも、上記回転軸側に位置する。
【００１７】
この実施形態の炊飯器によれば、上記モータは、上記第１の鉛直平面よりも、上記回転軸側に位置するので、蓋体の重心を回転軸側に簡単に位置できて、炊飯器の後方倒れを容易に防止できる。
【００１８】
また、一実施形態の炊飯器では、上記モータは、上記回転軸の端部近傍、かつ、上記蓋本体の角部に、配置されている。
【００１９】
この実施形態の炊飯器によれば、上記モータは、上記回転軸の端部近傍、かつ、上記蓋本体の角部に、配置されているので、蓋体が閉じた状態で、モータを内鍋から離した位置に配置できる。また、蓋本体の後部の左右幅方向中央に、内鍋内の蒸気を排出する蒸気排気口を設けても、モータを蒸気排気口から離した位置に配置できる。これによって、モータは、炊飯時に内鍋内に発生した熱による影響を、受け難くなる。
【００２０】
また、一実施形態の炊飯器では、上記炊飯器本体の底面は、上記回転軸よりも後方に延在している。
【００２１】
この実施形態の炊飯器によれば、上記炊飯器本体の底面は、回転軸よりも後方に延在している。これによって、蓋体が開いた状態で、蓋体の重心が回転軸よりも後方に位置しても、蓋体の重心の直下に、炊飯器本体の底面が存在することになる。したがって、炊飯器の後方倒れを一層確実に防止できる。
【００２２】
また、一実施形態の炊飯器では、上記炊飯器本体は、バランスウエイトを有する。
【００２３】
この実施形態の炊飯器によれば、上記炊飯器本体は、バランスウエイトを有するので、炊飯器本体の重量が大きくなって、炊飯器の後方倒れを一層確実に防止できる。
【００２４】
また、一実施形態の炊飯器では、上記蓋体の最大開状態での上記炊飯器本体の上端面に対する角度は、９０°〜１００°である。
【００２５】
この実施形態の炊飯器によれば、上記蓋体の最大開状態での上記炊飯器本体の上端面に対する角度は、９０°〜１００°であるので、蓋体を開いて、内鍋を炊飯器本体から出し入れする際に、内鍋が蓋体に干渉することがなく、内鍋の出し入れが、容易となる。また、蓋体の角度が大きくなって、後方に転倒し易くなるが、蓋体の重心と炊飯器本体の重心との位置関係により、炊飯器の後方倒れを有効に防止できる。
【００２６】
また、一実施形態の炊飯器では、上記モータは、上記蓋体を閉じた状態で、上下方向からみて、または、上記回転軸方向からみて、上記回転軸に重なる位置にある。
【００２７】
この実施形態の炊飯器によれば、上記モータは、上記蓋体を閉じた状態で、上下方向からみて、または、上記回転軸方向からみて、上記回転軸に重なる位置にあるので、蓋体の重心を一層回転軸側に位置できて、炊飯器の後方倒れを一層確実に防止できる。
【発明の効果】
【００２８】
この発明の炊飯器によれば、上記蓋体の重心は、第１の鉛直平面よりも、回転軸側に位置し、上記炊飯器本体の重心は、第２の鉛直平面よりも、回転軸とは反対側に位置するので、蓋体に重量物である撹拌ユニットおよびモータを設けていても、蓋体を開放した状態での姿勢が安定し、転倒することがない。
【図面の簡単な説明】
【００２９】
【図１】本発明の第１実施形態の炊飯器を示す斜視図である。
【図２】炊飯器の模式断面図である。
【図３】撹拌ユニットの底面図である。
【図４】撹拌ユニットのギア構造の上面からみた斜視図である。
【図５】炊飯器の側面からみた簡略図である。
【図６】炊飯器の上面からみた簡略図である。
【図７】蓋体を開けた状態での炊飯器の側面からみた簡略図である。
【図８】本発明の第２実施形態の炊飯器の側面からみた簡略図である。
【図９】本発明の第３実施形態の炊飯器の側面からみた簡略図である。
【図１０】本発明の第４実施形態の炊飯器の側面からみた簡略図である。
【発明を実施するための形態】
【００３０】
以下、この発明を図示の実施の形態により詳細に説明する。
【００３１】
（第１の実施形態）
図１は、この発明の第１実施形態の炊飯器を示す斜視図である。図１に示すように、この炊飯器は、本体部１００と、本体部１００に取り付けられた蓋体２００とを有する。
【００３２】
上記本体部１００は、炊飯器本体１と、この炊飯器本体１に収容されると共に上部が開口した内鍋２とを有する。上記蓋体２００の後端部は、ヒンジ１１を介して、炊飯器本体１の後端部の上部に取り付けられている。つまり、蓋体２００は、ヒンジ１１の回転軸Ｌを中心として、揺動可能となり、内鍋２を開閉可能とする。
【００３３】
ここで、炊飯器の「前後方向」とは、平面視、ヒンジ１１側を後側とし、蓋体２００の開閉側を前側とした方向をいう。炊飯器の「左右方向」とは、平面視、前後方向に直交する方向をいう。
【００３４】
上記蓋体２００は、蓋本体３と、蓋本体３の底面側（内鍋２側）に取り付けられた撹拌ユニット２１０とを有する。撹拌ユニット２１０は、内鍋２内に収容される被加熱物を撹拌する。被加熱物としては、例えば、米と水である。
【００３５】
図２は、炊飯器の模式断面図を示し、図２に示すように、上記炊飯器本体１は、外ケース７と、この外ケース７内に配置された内ケース８とを有する。炊飯器本体１内に内鍋２を収納したときに、内ケース８が内鍋２を保持するようになっている。
【００３６】
上記内ケース８は、耐熱性および電気絶縁性を有する材料で形成されている。内ケース８の底部には、誘導コイルを有するＩＨ（誘導加熱）ヒータ９と、内鍋２の温度を検知する温度センサ１０とを取り付けている。
【００３７】
上記外ケース７と上記内ケース８との間の回転軸Ｌ側の空間には、ヒータ９やモータ１５などを制御する（図示しない）制御装置やコードリールなどを設置している。
【００３８】
上記内鍋２は、磁性材を含むクラッド材で成型されており、被加熱物としての米および水が、内鍋２内に入る。内鍋２の上端の開口の縁には、環状のフランジ部２ａを設けている。
【００３９】
上記蓋本体３は、外蓋１２と内蓋１３とを有している。外蓋１２の後端部は、ヒンジ１１を介して、炊飯器本体１の後部に回動可能に取り付けられている。内蓋１３は、外蓋１２の内鍋２側に着脱可能に取り付けられている。内蓋１３には、撹拌ユニット２１０を回転可能に取り付けている。
【００４０】
上記撹拌ユニット２１０は、内蓋１３に取り付けられた撹拌ケーシング４と、撹拌ケーシング４に姿勢変更可能に取り付けられた２本の第１，第２の攪拌部材５，６とを有する。
【００４１】
上記外蓋１２には、ヒンジ１１（回転軸Ｌ）近傍に位置するように、１つのモータ１５を取り付けている。モータ１５の駆動力は、伝達機構によって、撹拌ユニット２１０に伝達される。
【００４２】
具体的に述べると、上記モータ１５の駆動軸１５ａには、小プーリ１７が取り付けられ、上記撹拌ユニット２１０の入力軸１９には、大プーリ１８が取り付けられている。小プーリ１７の外周と大プーリ１８の外周とに、タイミングベルト１６が、巻回されている。そして、モータ１５の駆動力は、タイミングベルト１６を介して、撹拌ユニット２１０の入力軸１９に伝わる。伝達機構は、小プーリ１７、タイミングベルト１６および大プーリ１８等から構成される。
【００４３】
上記第１，第２の攪拌部材５，６は、耐熱樹脂（例えばＰＯＭ（ポリアセタール）やフッソ系樹脂）を材料とし、互いに別体に形成されている。第１，第２の攪拌部材５，６は、それぞれ、第１端部５ａ，６ａと、この第１端部５ａ，６ａとは反対側に位置する第２端部５ｂ，６ｂとを有している。撹拌ケーシング４には、第１，第２の攪拌部材５，６の第１端部５ａ，６ａを回動可能に取り付けている。
【００４４】
上記モータ１５が、撹拌ケーシング４を第１方向（図４の矢印Ｒ１方向に相当する方向）に回転させるための駆動力を発生することにより、第１，第２の攪拌部材５，６は、第２端部５ｂ，６ｂが撹拌ケーシング４から離れて、撹拌ケーシング４の回転面に対して起立状態になる。
【００４５】
一方、上記モータ１５が、撹拌ケーシング４を第２方向（図４の矢印Ｒ２方向に相当する方向）に回転させるための駆動力を発生することにより、第１，第２の攪拌部材５，６は、第２端部５ｂ，６ｂが撹拌ケーシング４に近づいて、撹拌ケーシング４の回転面に対して倒伏状態になる。
【００４６】
すなわち、上記モータ１５が撹拌ケーシング４を第１方向，第２方向に回転させるための駆動力を発生することにより、第１，第２の攪拌部材５，６が、矢印Ｄ方向，矢印Ｕ方向に回動する。
【００４７】
図３は、撹拌ユニット２１０の底面図を示す。図３に示すように、上記撹拌ケーシング４は、蓋本体側部材５０と、この蓋本体側部材５０の内鍋２側の表面に着脱可能な内鍋側部材５１とを有し、蓋本体３の内鍋２側に回転可能に取り付けられる。
【００４８】
上記蓋本体側部材５０と上記内鍋側部材５１の間には、第１，第２の攪拌部材５，６を回動させるための複数の歯車３９〜４５と、この複数の歯車３９〜４５を覆うギアカバー５２とを配置している。
【００４９】
上記蓋本体側部材５０の内鍋２側の表面には、第１，第２の凹部５３，５４を設けており、ユーザは、第１，第２の凹部５３，５４を掴んで、撹拌ユニット２１０の着脱を容易に行えるようになっている。蓋本体側部材５０の内鍋２側の表面には、第１，第２の攪拌部材５，６を収容可能とする第１，第２の収容孔２８，２９を設けている。
【００５０】
上記内鍋側部材５１は、第１，第２の凹部５３，５４を覆わないが、ギアカバー５２を覆う形状を有して、第１，第２のフック５５，５６の先端部が、解除可能に係止する。
【００５１】
この第１，第２のフック５５，５６の基端部は、蓋本体側部材５０に回動可能に取り付けられており、この回動によって、第１，第２のフック５５，５６の先端部を蓋本体側部材５０に係止させたり、この係止を解除させたりする。
【００５２】
図４は、撹拌ユニット２１０のギア構造の上面からみた斜視図を示す。図３と図４に示すように、上記撹拌ユニット２１０のギア構造は、第１のマイタ歯車３９、第２のマイタ歯車４０、第３のマイタ歯車４１、第４のマイタ歯車４２、第５のマイタ歯車４３、第６のマイタ歯車４４、第７のマイタ歯車４５、第１の伝達軸４６、第１の回動軸４７、第２の伝達軸４８および第２の回動軸４９を有している。
【００５３】
上記第３のマイタ歯車４１、第１の伝達軸４６、第２のマイタ歯車４０、第１のマイタ歯車３９、第５のマイタ歯車４３、第２の伝達軸４８および第６のマイタ歯車４４は、順に、ほぼ一直線に並んでいる。
【００５４】
上記第１のマイタ歯車３９には、軸部３９ａが設けられ、この軸部３９ａは、図２に示す入力軸１９に固定された軸受部３８に、着脱可能に固定される。そして、第１のマイタ歯車３９は、大プーリ１８とともに、回動する。軸部３９ａは、撹拌ケーシング４を貫通している。
【００５５】
上記第１のマイタ歯車３９は、第２のマイタ歯車４０に歯合している。第１の伝達軸４６の一端には、第２のマイタ歯車４０を固定する一方、第１の伝達軸４６の他端には、第３のマイタ歯車４１を固定して、第２のマイタ歯車４０、第１の伝達軸４６および第３のマイタ歯車４１が、一体に回転する。
【００５６】
上記第３のマイタ歯車４１は、第４のマイタ歯車４２に歯合している。第４のマイタ歯車４２と第１の攪拌部材５の第１端部５ａとを第１の回動軸４７で連結し、第４のマイタ歯車４２、第１の攪拌部材５および第１の回動軸４７を一体化している。このような状態で、第１のマイタ歯車３９が回転すると、第１の攪拌部材５が一定の範囲内において第１の回動軸４７を中心に回動する。
【００５７】
上記第１のマイタ歯車３９は、第５のマイタ歯車４３にも歯合している。第２の伝達軸４８の一端には、第５のマイタ歯車４３を固定する一方、第２の伝達軸４８の他端には、第６のマイタ歯車４４を固定して、第５のマイタ歯車４３、第１の伝達軸４６および第６のマイタ歯車４４が、一体に回転する。
【００５８】
上記第６のマイタ歯車４４は、第７のマイタ歯車４５に歯合している。第７のマイタ歯車４５と第２の攪拌部材６の第１端部６ａとを第２の回動軸４９で連結し、第７のマイタ歯車４５、第２の攪拌部材６および第２の回動軸４９を一体化している。このような状態で、第１のマイタ歯車３９が回転すると、第２の攪拌部材６が一定の範囲内において第１の回動軸４７を中心に回動する。
【００５９】
ここで、上記構成の炊飯器の作用を説明する。
【００６０】
図２と図３と図４に示すように、内鍋２内に、所望量の米と水とを入れた後、炊飯器本体１内に内鍋２を収納して、内鍋２を覆うように蓋体２００を閉じる。このとき、第１，第２の攪拌部材５，６は、図３に示すように、第１，第２の収容孔２８，２９に収容されて倒伏状態となっている。
【００６１】
そして、モータ１５の駆動力を、タイミングベルト１６を介して、入力軸１９に伝えて、第１のマイタ歯車３９を、（図４に示す）矢印Ｒ１方向に回転させる。これにより、撹拌ケーシング４が回転しない状態で、第１，第２の攪拌部材５，６が、（図２に示す）矢印Ｄ方向に回動する。
【００６２】
この第１，第２の攪拌部材５，６の矢印Ｄ方向の回動は、第１，第２の攪拌部材５，６の第１端部５ａ，６ａが第１，第２の収容孔２８，２９の周縁部の一部に当接して停止する。さらに、モータ１５の駆動力を入力軸１９に伝えて、第１のマイタ歯車３９を（図４に示す）矢印Ｒ１方向に回転させると、第１，第２の攪拌部材５，６が撹拌ケーシング４と共に回転する。その結果、内鍋２内の米および水を第１，第２の攪拌部材５，６で攪拌することができる。
【００６３】
一方、上記蓋体２００を開ける場合、モータ１５の駆動力を撹拌ケーシング４の入力軸１９に伝えて、第１のマイタ歯車３９を（図４に示す）矢印Ｒ２方向に回転させる。これにより、撹拌ケーシング４が回転しない状態で、第１，第２の攪拌部材５，６が、（図２に示す）矢印Ｕ方向に回動し、第１，第２の収容孔２８，２９に収容される。
【００６４】
このとき、第１，第２の攪拌部材５，６が第１，第２の収容孔２８，２９の内面に当接することにより、第１，第２の攪拌部材５，６の矢印Ｕ方向の回動が停止する。その結果、第１，第２の攪拌部材５，６の第２端部５ｂ，６ｂが内鍋２に確実に引っ掛からないようし、蓋本体３を容易に開くことができる。
【００６５】
図５は、炊飯器の側面からみた簡略図を示す。図５に示すように、上記蓋体２００の重心は、蓋体２００（蓋本体３）の中心を通ると共に回転軸Ｌに平行な第１の鉛直平面Ｓ１よりも、回転軸Ｌ側に位置する。
【００６６】
ここで、上記第１の鉛直平面Ｓ１とは、蓋体２００を閉じて炊飯器を水平面に置いた状態で、蓋体２００の中心を通ると共に回転軸Ｌに平行となり、かつ、水平面に直交する平面をいう。
【００６７】
具体的に述べると、上記撹拌ユニット２１０と上記モータ１５からなる重量物の重心は、第１の鉛直平面Ｓ１よりも、回転軸Ｌ側に位置している。これにより、蓋体２００の重心を、第１の鉛直平面Ｓ１よりも、簡単に後方に位置できる。
【００６８】
さらに、上記モータ１５は、第１の鉛直平面Ｓ１よりも、回転軸Ｌ側に位置している。さらに、モータ１５は、蓋体２００を閉じた状態で、回転軸Ｌ方向からみて、回転軸Ｌに重なる位置にある。これにより、蓋体２００の重心を、一層簡単に後方に位置できる。
【００６９】
さらに好ましくは、モータ１５を回転軸Ｌの近傍に配置することで、一層簡単に蓋体２００の重心を後方に位置できる。
【００７０】
一方、上記炊飯器本体１の重心は、炊飯器本体１の中心を通ると共に回転軸Ｌに平行な第２の鉛直平面Ｓ２よりも、回転軸Ｌとは反対側に位置する。
【００７１】
ここで、上記第２の鉛直平面Ｓ２とは、蓋体２００を閉じて炊飯器を水平面に置いた状態で、炊飯器本体１の中心を通ると共に回転軸Ｌに平行となり、かつ、水平面に直交する平面をいう。
【００７２】
具体的に述べると、上記炊飯器本体１の重量部分を、第２の鉛直平面Ｓ２よりも、回転軸Ｌとは反対側に位置して、炊飯器本体１の重心を、第２の鉛直平面Ｓ２よりも、前方に位置する。第１の鉛直平面Ｓ２は、第１の鉛直平面Ｓ１と一致している。
【００７３】
さらに、上記炊飯器本体１に内鍋２を収容した際、重量の大きな内鍋２の中心は、第２の鉛直平面Ｓ２よりも、前方に位置する。これにより、炊飯器本体１および内鍋２を含む本体部１００の重心を、第２の鉛直平面Ｓ２よりも、前方に位置できる。
【００７４】
図６は、炊飯器の上面からみた簡略図を示す。図６に示すように、上記モータ１５は、上記回転軸Ｌの端部近傍、かつ、上記蓋本体３の左右方向の角部に配置されている。
【００７５】
具体的に述べると、上記蓋体２００が閉じた状態で、モータ１５は、内鍋２に重ならないで、内鍋２から離隔している。モータ１５は、蓋本体３に設けられた蒸気排気口２０に重ならないで、蒸気排気口２０から離隔している。
【００７６】
上記蒸気排気口２０は、蓋本体３の後部の左右幅方向中央に、設けられている。蒸気排気口２０は、内鍋２内に連通するダクト２１に接続され、内鍋２内の蒸気を排出する。
【００７７】
このように、上記蓋体２００が閉じた状態で、モータ１５を、内鍋２および蒸気排気口２０から離した位置に配置できて、モータ１５は、炊飯時に内鍋２内に発生した熱による影響を、受け難くなる。
【００７８】
図７は、蓋体２００を開けた状態での炊飯器の側面からみた簡略図を示す。図７に示すように、蓋体２００の最大開状態での炊飯器本体１の上端面に対する角度θは、９０°〜１００°である。
【００７９】
これによって、蓋体２００を開いて、内鍋２を炊飯器本体１から出し入れする際に、内鍋２が蓋体２００に干渉することがなく、内鍋２の出し入れが、容易となる。
【００８０】
上記炊飯器本体１の底面１ａの最も後方に位置する端部Ｏは、回転軸Ｌの直下に位置する。蓋体２００を開けた状態で、端部Ｏを中心として、炊飯器本体１の回転モーメントは、蓋体２００の回転モーメントよりも、大きくなる。これは、蓋体２００の重心は、第１の鉛直平面Ｓ１よりも、回転軸Ｌ側に位置し、かつ、炊飯器本体１の重心は、第２の鉛直平面Ｓ２よりも、回転軸Ｌとは反対側に位置するためである。なお、炊飯器本体１の重量は、蓋体２００の重量よりも大きい。
【００８１】
したがって、蓋体２００に重量物である撹拌ユニット２１０およびモータ１５を設けていても、内鍋２を炊飯器本体１から取り出した状態で蓋体２００を全開するとき、または、蓋体２００を全開にして内鍋２を炊飯器本体１から取り出すときに、炊飯器の姿勢が安定する。つまり、炊飯器本体１に内鍋２が収容されてない状態で、蓋体２００を全開しているとき、炊飯器の姿勢は、安定している。
【００８２】
特に、炊飯器が布巾や鍋敷等の上に偶然に置かれて、炊飯器の姿勢が後方に傾いた状態となった場合に、蓋体２００を全開にして内鍋２を出し入れするとき、炊飯器の姿勢が安定して、炊飯器が後方へ転倒することがない。
【００８３】
さらに、上記蓋体２００の回転軸Ｌを中心とした回転モーメントも小さくできて、蓋体２００の開放時の衝撃を緩和して、炊飯器の後方への転倒を防止できる。
【００８４】
また、上記モータ１５は、第１の鉛直平面Ｓ１よりも、回転軸Ｌ側に位置するので、蓋体２００の重心を回転軸Ｌ側に簡単に位置できて、炊飯器の後方倒れを容易に防止できる。
【００８５】
また、上記蓋体２００の角度θが大きくなって、後方に転倒し易くなるが、蓋体２００の重心と炊飯器本体１の重心との位置関係により、炊飯器の後方倒れを有効に防止できる。
【００８６】
（第２の実施形態）
図８は、この発明の第２実施形態の炊飯器の側面からみた簡略図である。上記第１の実施形態と相違する点を説明すると、この第２の実施形態では、本体部の構成が相違する。
【００８７】
なお、この第２の実施形態において、上記第１の実施形態と同一の符号は、上記第１の実施形態と同じ構成であるため、その説明を省略する。
【００８８】
図８に示すように、本体部１００Ａの炊飯器本体１Ａの底面１ａは、回転軸Ｌよりも後方に延在している。
【００８９】
具体的に述べると、上記炊飯器本体１Ａは、後端部の下部に後方に突出する突起部２２を有する。この突起部２２は、回転軸Ｌよりも後方に延在する。そして、炊飯器本体１Ａの底面１ａの最も後方に位置する端部Ｏ’は、回転軸Ｌよりも後方に位置する。
【００９０】
これによって、上記蓋体２００が開いた状態で、蓋体２００の重心が回転軸Ｌよりも後方に位置しても、蓋体２００の重心の直下に、炊飯器本体１Ａの底面１ａが存在することになる。したがって、炊飯器の後方倒れを一層確実に防止できる。
【００９１】
（第３の実施形態）
図９は、この発明の第３実施形態の炊飯器の側面からみた簡略図である。上記第１の実施形態と相違する点を説明すると、この第３の実施形態では、本体部の構成が相違する。
【００９２】
なお、この第３の実施形態において、上記第１の実施形態と同一の符号は、上記第１の実施形態と同じ構成であるため、その説明を省略する。
【００９３】
図９に示すように、本体部１００Ｂの炊飯器本体１Ｂは、（ハッチングにて示す）バランスウエイト２３を有する。具体的に述べると、炊飯器本体１Ｂの上部の露受け部の素材に、比重の重い鉄を採用し、この露受け部を、バランスウエイト２３とする。なお、鉄は錆びやすい材質であるため、鉄の表面に、樹脂や専用の塗料を使用して防錆塗装を施す。
【００９４】
したがって、上記炊飯器本体１Ｂは、バランスウエイト２３を有するので、炊飯器本体１Ｂの重量が大きくなって、炊飯器の後方倒れを一層確実に防止できる。
【００９５】
（第４の実施形態）
図１０は、この発明の第４実施形態の炊飯器の側面からみた簡略図である。上記第１の実施形態と相違する点を説明すると、この第４の実施形態では、モータと回転軸との位置関係が相違する。
【００９６】
なお、この第４の実施形態において、上記第１の実施形態と同一の符号は、上記第１の実施形態と同じ構成であるため、その説明を省略する。
【００９７】
図１０に示すように、モータ１５は、蓋体２００を閉じた状態で、上下方向からみて、回転軸Ｌに重なる位置にある。したがって、蓋体２００の重心を一層回転軸Ｌ側に位置できて、炊飯器の後方倒れを一層確実に防止できる。
【００９８】
なお、この発明は上述の実施形態に限定されない。例えば、上記第１から上記第４の実施形態のそれぞれの特徴点を様々に組み合わせてもよい。
【００９９】
また、モータを、蓋体を閉じた状態で、上下方向からみて、または、回転軸方向からみて、回転軸に重ならない位置に配置してもよい。また、モータを本体部側に配置してもよい。また、撹拌ユニットは、内鍋内に収容される被加熱物を撹拌する構成であれば、どのような構成であってもよい。また、撹拌ユニットとして、二つの撹拌部材を用いたが、一つの撹拌部材を用いるようにしてもよい。
【０１００】
要するに、蓋体の重心を、第１の鉛直平面よりも、回転軸側に位置し、炊飯器本体の重心を、第２の鉛直平面よりも、回転軸とは反対側に位置するようにすれば、設計変更可能である。
【符号の説明】
【０１０１】
１，１Ａ，１Ｂ  炊飯器本体
１ａ  底面
２  内鍋
３  蓋本体
４  撹拌ケーシング
５  第１の撹拌部材
６  第２の撹拌部材
１５  モータ（モータ）
１６  タイミングベルト（伝達機構）
１７  小プーリ（伝達機構）
１８  大プーリ（伝達機構）
２０  蒸気排気口
２２  突起部
２３  バランスウエイト
１００，１００Ａ，１００Ｂ  本体部
２００  蓋体
２１０  撹拌ユニット
Ｌ  回転軸
Ｓ１  第１の鉛直平面
Ｓ２  第２の鉛直平面
Ｏ，Ｏ’  端部
θ  角度
【図１】
2013165858.tif 000003
【図２】
2013165858.tif 000004
【図３】
2013165858.tif 000005
【図４】
2013165858.tif 000006
【図５】
2013165858.tif 000007
【図６】
2013165858.tif 000008
【図７】
2013165858.tif 000009
【図８】
2013165858.tif 000010
【図９】
2013165858.tif 000011
【図１０】
2013165858.tif 000012